(57)【要約】【課題】標的板に着弾した弾丸を散乱させることなく回収し使い勝手に優れた玩具銃用標的装置を提供する。【解決手段】開口部２６を通り標的板１６に命中した弾丸Ｂは、標的板１６が傾斜していることから、標的板１６から第１反射部４８に反射されたのち、第１反射部４８から背面板１４０６に向かって反射され、エネルギー減衰部５０に当たる。エネルギー減衰部５０に当たった弾丸Ｂは、エネルギー減衰部５０によりエネルギーが減衰され、底面板１４０２上に落下し、底面板１４０２上に回収される。【選択図】図２
2022000603.tif 000002
【特許請求の範囲】
【請求項１】
標的板を支持し起立位置と、正面からソフトエアガンにより発射された弾丸が前記起立位置に位置する前記標的板に当たり前記正面と反対の背面側に倒れる倒伏位置との間で揺動可能に配置されたアームを備え、
前記標的板は、前記起立位置において上方に至るにつれて前記背面に向かう傾斜で前記アームに設けられている、
ことを特徴とする玩具銃用標的板。
【請求項２】
標的板を支持し起立位置と倒伏位置との間で揺動可能に配置されたアームと、
前記アームを前記起立位置に位置させる起立位置決定部と、
正面からソフトエアガンにより発射された弾丸が前記起立位置に位置する前記標的板に当たり前記アームが前記正面と反対の背面側の前記倒伏位置に倒れると前記アームを前記倒伏位置に保持させる倒伏位置保持部とを備え、
前記標的板は、前記起立位置において上方に至るにつれて前記背面に向かう傾斜で前記アームに設けられている、
ことを特徴とする玩具銃用標的装置。
【請求項３】
正面に開口部が設けられた筐体と、
前記筐体の内部の底面上又はその近傍に設けられ、起立位置と倒伏位置との間で揺動可能なアームが配置される配置スペースと、
前記筐体の内部に設けられ前記標的板から反射した弾丸を前記正面と反対の背面側に反射させる反射部と、
前記筐体の内部に設けられ前記反射部から反射した弾丸のエネルギーを減衰させ前記筐体の底面に落下させるエネルギー減衰部と、
を備えることを特徴とする玩具銃標的装置用筐体。
【請求項４】
正面に開口部が設けられた筐体と、
それぞれ標的板を支持し前記筐体の内部で起立位置と倒伏位置との間で揺動可能に配置されたアームと、
前記アームを前記起立位置に位置させる起立位置決定部と、
前記正面からソフトエアガンにより発射された弾丸が前記起立位置に位置する前記標的板に当たり前記アームが前記正面と反対の背面側の前記倒伏位置に倒れると前記アームを前記倒伏位置に保持させる倒伏位置保持部とを備え、
前記標的板は、前記起立位置において上方に至るにつれて前記背面に向かう傾斜で前記アームに設けられている、
ことを特徴とする玩具銃用標的装置。
【請求項５】
正面に開口部が設けられた筐体と、
それぞれ標的板を支持し前記筐体の内部で起立位置と倒伏位置との間で揺動可能に配置された複数のアームと、
前記複数のアームを前記起立位置に位置させる起立位置決定部と、
前記正面からソフトエアガンにより発射された弾丸が前記起立位置に位置する前記標的板に当たり前記アームが前記正面と反対の背面側の前記倒伏位置に倒れると前記アームを前記倒伏位置に保持させる倒伏位置保持部とを備え、
前記標的板は、前記起立位置において上方に至るにつれて前記背面に向かう傾斜で前記アームに設けられ、
前記筐体の内部に設けられ前記標的板から反射した弾丸を前記正面と反対の背面側に反射させる反射部と、
前記反射部から反射した弾丸のエネルギーを減衰させ前記筐体の底面に落下させるエネルギー減衰部が前記筐体の内部に設けられている、
ことを特徴とする玩具銃用標的装置。
【請求項６】
前記標的板は、前記起立位置において前記アームに対して２０度以上５５度以下の角度をもって傾斜している、
ことを特徴とする請求項１記載の玩具銃用標的板または請求項２記載の玩具銃用標的装置または請求項３記載の玩具銃標的装置用筐体または請求項４記載の玩具銃用標的装置または請求項５記載の玩具銃用標的装置。
【請求項７】
前記標的板は、前記アームに対して着脱可能に結合されている、
ことを特徴とする請求項１記載の玩具銃用標的板または請求項２記載の玩具銃用標的装置または請求項３記載の玩具銃標的装置用筐体または請求項４記載の玩具銃用標的装置または請求項５記載の玩具銃用標的装置。
【請求項８】
前記標的板は、大きさが異なる複数種類が用意されている、
ことを特徴とする請求項１記載の玩具銃用標的板または請求項２記載の玩具銃用標的装置または請求項３記載の玩具銃標的装置用筐体または請求項４記載の玩具銃用標的装置または請求項５記載の玩具銃用標的装置。
【請求項９】
前記アームは支軸を介して揺動可能に支持され、
前記アームは前記支軸に対して着脱可能に結合されている、
ことを特徴とする請求項１記載の玩具銃用標的板または請求項２記載の玩具銃用標的装置または請求項３記載の玩具銃標的装置用筐体または請求項４記載の玩具銃用標的装置または請求項５記載の玩具銃用標的装置。
【請求項１０】
前記エネルギー減衰部は、前記筐体の内部に吊り下げられた布または軟質のシートを含んで構成されている、
ことを特徴とする請求項３記載の玩具銃標的装置用筐体または請求項５記載の玩具銃用標的装置。
【請求項１１】
前記背面は、軟質の部材からなる板で構成され、
前記エネルギー減衰部は、前記背面で構成されている、
ことを特徴とする請求項３記載の玩具銃標的装置用筐体または請求項５記載の玩具銃用標的装置。
【発明の詳細な説明】
【技術分野】
【０００１】
本発明は、玩具銃用標的板、玩具銃標的装置用筐体、玩具銃用標的装置に関する。
【背景技術】
【０００２】
従来からプラスチック製の弾丸（ＢＢ弾：Ｂａｌｌ  Ｂｕｌｌｅｔ弾）を低圧の圧縮空気などで発射する機構を備えた玩具銃であるソフトエアガンを使用して標的を射撃する様々な射撃競技が行われている（特許文献１、２参照）。
このような射撃競技の１つとして、フォーリングターゲット（フォーリングプレート）と呼ばれる円形の標的（標的板）を複数個、水平方向に間隔をおいて並べておき、規定時間以内にそれら複数の標的を弾丸で射撃して倒すプレート競技が行なわれている。
プレート競技で使用される複数の標的は、それぞれ倒伏可能に設けられ、予め標的を起立位置に位置させておき、標的に弾丸が着弾したときの衝撃力によって標的が倒伏位置に倒れるように構成されている。
【０００３】
このようなプレート競技を想定した玩具銃用標的装置として、倒伏可能な複数の標的を備える標的装置本体と、標的装置本体を囲む弾丸散乱防止用の筐体とを備えたものが提供されている。
筐体は、矩形状の底面部と、底面部の左右両側から起立する側面部と、側面部の上端を接続する上面部と、底面部、側面部、上面部の後端を接続する背面部とを備え、底面部、側面部、上面部の前端で囲まれる空間が前方に向けて開放された開口となっている。
開口の全周にわたって矩形環板状のフレームが取り付けられ、フレームの内側が矩形状のフレーム開口となっている。
底面部、側面部、上面部、背面部は、弾丸の衝撃を吸収するネットで構成されている。
標的装置本体は、標的をフレーム開口を通して前方に向けて筐体の内部で底面部上に設置されている。
通常、玩具銃用標的装置は机などの水平面に設置されるため、起立位置に位置した標的の表面は水平面と直交する鉛直面となる。
ソフトエアガンにより弾丸を標的に向けて射撃すると、弾丸が標的に着弾して標的が後方に倒伏し、弾丸は標的で反射される。また、標的から外れた弾丸は背面部に当たって筐体内に回収される。
【先行技術文献】
【特許文献】
【０００４】
【特許文献１】特許第６０７２４５６号公報
【特許文献２】特許第６１０６３７７号公報
【発明の概要】
【発明が解決しようとする課題】
【０００５】
ところで、弾丸が標的に向けてほぼ水平方向に沿って発射され、フレーム開口を通って標的の表面に着弾すると、弾丸は標的の表面で反射される。
弾丸が標的に垂直に着弾すると、基本的には逆方向に反射される（但し、弾の回転や重力等により着弾点から扇状の範囲に反射する）。
そのため、反射された弾丸の多くはフレーム開口から筐体の外側へ飛び出すことになり、ほとんどの弾丸を回収できないのが現状である。
このようにソフトエアガンの射撃に伴い、弾丸が筐体の周辺に散乱するため、散乱した弾丸を拾い集める手間がかかっているのが現状であり、何らかの改善が求められている。
本発明はこのような事情に鑑みなされたものであり、その目的は、標的板に着弾した弾丸を散乱させることなく回収する上で有利な玩具銃用標的板、玩具銃標的装置用筐体、玩具銃用標的装置を提供することにある。
【課題を解決するための手段】
【０００６】
上述の目的を達成するため、本発明の玩具銃用標的板は、標的板を支持し起立位置と、正面からソフトエアガンにより発射された弾丸が前記起立位置に位置する前記標的板に当たり前記正面と反対の背面側に倒れる倒伏位置との間で揺動可能に配置されたアームを備え、前記標的板は、前記起立位置において上方に至るにつれて前記背面に向かう傾斜で前記アームに設けられていることを特徴とする。
また、本発明の玩具銃用標的装置は、標的板を支持し起立位置と倒伏位置との間で揺動可能に配置されたアームと、前記アームを前記起立位置に位置させる起立位置決定部と、正面からソフトエアガンにより発射された弾丸が前記起立位置に位置する前記標的板に当たり前記アームが前記正面と反対の背面側の前記倒伏位置に倒れると前記アームを前記倒伏位置に保持させる倒伏位置保持部とを備え、前記標的板は、前記起立位置において上方に至るにつれて前記背面に向かう傾斜で前記アームに設けられていることを特徴とする。
また、本発明の玩具銃標的装置用筐体は、正面に開口部が設けられた筐体と、前記筐体の内部の底面上又はその近傍に設けられ、起立位置と倒伏位置との間で揺動可能なアームが配置される配置スペースと、前記筐体の内部に設けられ前記標的板から反射した弾丸を前記正面と反対の背面側に反射させる反射部と、前記筐体の内部に設けられ前記反射部から反射した弾丸のエネルギーを減衰させ前記筐体の底面に落下させるエネルギー減衰部とを備えることを特徴とする。
また、本発明の玩具銃用標的装置は、正面に開口部が設けられた筐体と、それぞれ標的板を支持し前記筐体の内部で起立位置と倒伏位置との間で揺動可能に配置されたアームと、前記アームを前記起立位置に位置させる起立位置決定部と、前記正面からソフトエアガンにより発射された弾丸が前記起立位置に位置する前記標的板に当たり前記アームが前記正面と反対の背面側の前記倒伏位置に倒れると前記アームを前記倒伏位置に保持させる倒伏位置保持部とを備え、前記標的板は、前記起立位置において上方に至るにつれて前記背面に向かう傾斜で前記アームに設けられていることを特徴とする。
また、本発明の玩具銃用標的装置は、正面に開口部が設けられた筐体と、それぞれ標的板を支持し前記筐体の内部で起立位置と倒伏位置との間で揺動可能に配置された複数のアームと、前記複数のアームを前記起立位置に位置させる起立位置決定部と、前記正面からソフトエアガンにより発射された弾丸が前記起立位置に位置する前記標的板に当たり前記アームが前記正面と反対の背面側の前記倒伏位置に倒れると前記アームを前記倒伏位置に保持させる倒伏位置保持部とを備え、前記標的板は、前記起立位置において上方に至るにつれて前記背面に向かう傾斜で前記アームに設けられ、前記筐体の内部に設けられ前記標的板から反射した弾丸を前記正面と反対の背面側に反射させる反射部と、前記反射部から反射した弾丸のエネルギーを減衰させ前記筐体の底面に落下させるエネルギー減衰部が前記筐体の内部に設けられていることを特徴とする。
【発明の効果】
【０００７】
本発明の玩具銃用標的板、玩具銃用標的装置によれば、標的板に命中した弾丸は標的板が傾斜していることから、標的板から上方又は上後方に反射される。
したがって、標的板の上方に、標的板から跳ね返った弾丸に当たる何らかの部材を配置することで、標的板に着弾した弾丸を散乱させることなく回収する上で有利となる。
また、本発明の玩具銃標的装置用筐体と玩具銃用標的装置によれば、筐体の内部に斜め上方を向いた標的板を配置することで、標的板に着弾した弾丸を散乱させることなく回収する上で有利となる。
また、本発明の玩具銃標的装置用筐体と玩具銃用標的装置によれば、エネルギー減衰部に当たった弾丸は、エネルギー減衰部によりエネルギーが減衰され、筐体の底面上に落下し、筐体内で回収されるため、標的板に着弾した弾丸を散乱させることなく回収する上で有利となる。
【図面の簡単な説明】
【０００８】
【図１】第１の実施の形態に係る玩具銃用標的装置の正面図である。
【図２】第１の実施の形態に係る玩具銃用標的装置の側面断面図である。
【図３】標的装置本体の内部の一部を示す正面図でありアームが起立位置に位置した状態を示す。
【図４】標的装置本体の内部の側面図であり、（Ａ）はアームが起立位置に位置した状態を示し、（Ｂ）はアームが倒伏位置に位置した状態を示す。
【図５】図４（Ｂ）のＸ−Ｘ線矢視図である。
【図６】第２の実施の形態に係る玩具銃用標的装置の側面断面図である。
【発明を実施するための形態】
【０００９】
（第１の実施の形態）
以下、本発明の玩具銃用標的板、玩具銃標的装置用筐体、玩具銃用標的装置の実施の形態について図面を用いて説明する。
図１から図４に示すように、本実施の形態の玩具銃用標的装置１０Ａは、筐体１４と、標的板１６を支持する複数のアーム１８と、倒伏位置保持部２０と、解除機構２２と、反射部２４と、エネルギー減衰部５０とを有し、複数のアーム１８と倒伏位置保持部２０と解除機構２２とを含んで標的装置本体１２が構成されている。
【００１０】
図１、図２に示すように、筐体１４は、横長の直方体状を呈している。
筐体１４は、長方形状の底面板１４０２と、底面板１４０２の一対の短辺から起立する一対の側面板１４０４と、底面板１４０２の一対の長辺の一方から起立する背面板１４０６と、一対の側面板１４０４および背面板１４０６よりも低い高さで底面板１４０２の一対の長辺の他方から起立する正面板１４０８と、一対の側面板１４０４の上縁と背面板１４０６の上縁を接続する上面板１４１０とを含んで構成されている。
正面板１４０８は、上方に至るにつれて背面板１４０６側に変位する傾斜で設けられ、したがって、正面板１４０８に当たった弾丸Ｂは筐体１４の外部に散乱することなく筐体１４の内部に導かれる。
したがって、筐体１４を前方から見たとき、一対の側面板１４０４の前縁と、正面板１４０８の上縁と、上面板１４１０の前縁とによってソフトエアガンから発射された弾丸が筐体１４内に導入される横長で矩形状の開口部２６が形成されている。
また、図２に示すように、一対の側面板１４０４のうち一方の側面板１４０４の後方かつ下方の角部の箇所には、弾丸を取り出すための取り出し口２８が形成されると共に、取り出し口２８を開閉する蓋３０が設けられている。なお、蓋３０は揺動可能に側面板１４０４に取り付けられていてもよく、あるいは、脱着式であってもよく、取り出し口２８および蓋３０の構造には従来公知の様々な構成が採用可能である。
【００１１】
図１から図４に示すように、標的装置本体１２は、複数のアーム１８と倒伏位置保持部２０と解除機構２２とに加え、ケース３２を含んで構成され、本実施の形態では、アーム１８は３つ設けられている。
ケース３２は、底面板１４０２上のケース３２の配置スペース上又は標的板１６が筐体１４の開口部２６から見える位置に来るように底面板１４０２から底上げした位置に配置され、底板３２０２と底板３２０２で支持された一対の側板３２０４とを含んで構成されている。
図３、図４に示すように、底板３２０２の左右方向に間隔をおいた複数箇所に、本実施の形態では３箇所に一対の起立板３４が立設され、それら一対の起立板３４には支軸３６が支持され固定されており、また、ストッパ３８が設けられている。
３つのアーム１８は、それぞれ支軸３６で回転可能に支持され、筐体１４の内部で図４（Ａ）に示す起立位置と、図４（Ｂ）に示す倒伏位置との間で揺動可能に配置されている。なお、支軸３６を回転可能に設け、アーム１８を支軸３６と一体に回転させるなど任意である。
標的板１６は各アーム１８の上部で支持されている。
図１に示すように、標的板１６は、筐体１４の前方から見た場合に最も大きい第１標的板１６Ａと、次に大きい第２標的板１６Ｂと、最も小さい第３標的板１６Ｃとして形成されている。
図３、図４に示すように、支軸３６にはねじりばね４０が巻装され、アーム１８を起立位置に常時位置するように付勢しており、アーム１８の起立位置はアーム１８がストッパ３８に当接することで決定される。
本実施の形態では、ねじりばね４０とストッパ３８により、複数のアーム１８を起立位置に位置させる起立位置決定部が構成されている。
ソフトエアガンなどの玩具銃から発射されるプラスチック製の弾丸Ｂが標的板１６に当たると、標的板１６はアーム１８と共に起立位置から倒伏位置に揺動する。
【００１２】
標的板１６は、起立位置において上方に至るにつれて背面に向かう傾斜でアーム１８に設けられている。
標的板１６は、起立位置においてアーム１８に対して２０度以上５５度以下の角度をもって傾斜している。
好ましくは、標的板１６は、起立位置においてアーム１８に対して２５度以上４５度以下の角度をもって傾斜している。
アーム１８に対して２０度以上の角度をもって傾斜させた理由は、ソフトエアガンから発射されるプラスチック製の弾丸Ｂが標的板１６に当たると、標的板１６は固定されておらず、弾丸Ｂの標的板１６への当接と同時に背面側にアーム１８と共に揺動するため、２０度未満であると、反射方向が前上方に傾きすぎて、筐体１４前端よりも更に前方に飛んで行ってしまうためである。標的板１６をアーム１８に対して２０度以上の角度をもって傾斜させると、標的板１６から反射した弾丸Ｂは標的板１６の直上の第１反射部４８に確実に当たることから、標的板１６に着弾した弾丸Ｂを散乱させることなく回収する上で有利となる。
また、アーム１８に対して５５度以下の角度をもって傾斜させた理由は、正面から見た標的板１６の輪郭の大きさを確保するためである。
アーム１８に対して２５度以上の角度をもって傾斜させると、真上または真上よりも背面側に反射させる上で有利となり、アーム１８に対して４５度以下の角度をもって傾斜させると、正面から見た標的板１６の輪郭の大きさを確保する上でより有利となる。
図４（Ａ）にＹ矢印で示すように標的板１６の厚さ方向で標的板１６の前方から標的板１６を見ると、上下方向に長い楕円形を呈しており、図４（Ａ）にＸ矢印で示すように筐体１４の前方から標的板１６を見た場合に円形を呈するように図られている。
同様に的表示１６０２も、図４にＹ矢印で示すように標的板１６の厚さ方向で標的板１６の前方から的表示１６０２を見ると、上下方向に長い楕円形を呈しており、図４にＸ矢印で示すように筐体１４の前方から的表示１６０２を見た場合に円形を呈するように図られている。
【００１３】
倒伏位置保持部２０は、各アーム１８の倒伏位置を保持する箇所であり、各アーム１８毎に設けられている。言い換えると、倒伏位置保持部２０は、ソフトエアガンにより発射された弾丸が起立位置に位置する標的板１６に当たることで標的板１６を倒伏位置に保持させるものである。
図５に示すように、倒伏位置保持部２０は、ばね鋼板からなる一対の揺動可能な起立板２００２で構成され、起立板２００２の上部には互いに近づく方向に凸状の湾曲部２００４が設けられている。
したがって、玩具銃から発射されるプラスチック製の弾丸Ｂが標的板１６に当たり、アーム１８が下方に揺動すると、アーム１８は一対の起立板２００２の湾曲部２００４を広げて湾曲部２００４の下方に変位し、一対の起立板２００２の弾性により一対の起立板２００２の湾曲部２００４が互いに近づく方向に変位し、アーム１８の上方に一対の湾曲部２００４が位置することによりアーム１８の倒伏位置が保持される。
【００１４】
解除機構２２は、全てのアーム１８が倒伏位置に位置した際に倒伏位置保持部２０によるアーム１８の保持を解除する箇所である。
図４に示すように、解除機構２２は、リミットスイッチ４２と、ソレノイド４４と、制御部４６とを含んで構成され、リミットスイッチ４２とソレノイド４４は各アーム１８毎に設けられている。
リミットスイッチ４２は、アーム１８の倒伏位置を検出するものであり、アーム１８が倒伏位置に倒伏した際にアーム１８によって押圧されることで動作する。
ソレノイド４４は、コイルを備えるソレノイド本体４４０２と、ソレノイド本体４４０２から出没可能に設けられたプランジャ４４０４とを備え、コイルに駆動電流が供給されることで図４（Ｂ）に想像線で示すように、プランジャ４４０４がソレノイド本体４４０２から突出した突出位置となり、駆動電流の供給が停止されることでプランジャ４４０４がソレノイド本体４４０２に没入した没入位置となる。
プランジャ４４０４の没入位置では、プランジャ４４０４の上端は倒伏位置に位置したアーム１８の下方に離れた箇所に位置し、プランジャ４４０４の突出位置では、アーム１８を上昇させ一対の湾曲部２００４を開いて一対の湾曲部２００４の上方にアーム１８を変位させるように構成されている。
【００１５】
制御部４６は、リミットスイッチ４２により全てのアーム１８が倒伏位置に位置したことを検出すると、各ソレノイド本体４４０２に駆動電流を供給してプランジャ４４０４を突出させる。
これにより、各ソレノイド４４のプランジャ４４０４が突出位置となり、全てのアーム１８が一対の湾曲部２００４の上方に離れた箇所に変位され、ねじりばね４０の付勢力により全てのアーム１８が起立位置に復帰する。
なお、制御部４６は、プランジャ４４０４が突出位置となったならば、駆動電流の供給を停止してプランジャ４４０４を没入位置に位置させる。
【００１６】
図１、図２に示すように、反射部２４は、筐体１４の内部に設けられ標的板１６から反射した弾丸Ｂを背面側に反射させる箇所である。
本実施の形態では、反射部２４として第１反射部４８が設けられている。
第１反射部４８は、標的板１６の上方箇所に設けられている。
第１反射部４８は、開口部２６寄りの一対の側面板１４０４の箇所の間にわたって延在し、後方に至るにつれて上方に変位する傾斜を有し、標的板１６で反射された弾丸Ｂを背面板１４０６側に反射させるように図られている。
第１反射部４８の後端と上面板１４１０との間には空間が確保され、第１反射部４８と上面板１４１０との間を通過する弾丸Ｂが筐体１４の内部で背面側に導かれるように図られている。
【００１７】
エネルギー減衰部５０は、反射部２４から反射した弾丸Ｂのエネルギーを減衰させ、弾丸Ｂを筐体１４の底面に落下させる箇所であり、標的板１６から背面板１４０６寄りに離れた箇所に設けられ、言い換えると、背面板１４０６の前方箇所に設けられている。
エネルギー減衰部５０は、筐体１４の上面板１４１０に取着され、一対の側面板１４０４間にわたって筐体１４の内部に吊り下げられたシート５２で構成されている。
本実施の形態では、エネルギー減衰部５０は、厚さ方向に間隔をおいて吊り下げられた２枚のシート５２で構成されているが、シート５２の枚数は、弾丸Ｂのエネルギーに応じて適宜増減するなど任意である。
このようなシート５２として、布または塩化ビニールなどの軟質のシートが採用可能である。
【００１８】
なお、本実施の形態では、底面板１４０２、一対の側面板１４０４、背面板１４０６は、不透明な発泡ポリプロピレン板（発泡ＰＰ板）で構成されている。なお、強度的に問題なければ、弾丸Ｂはシート５２に当たって下方に落下するため、背面板１４０６は省略してもよい。
上面板１４１０、正面板１４０８、第１反射部４８は、耐衝撃性に優れた透明なポリカーボネート板で構成されている。
また、標的板１６は、耐衝撃性に優れたポリカーボネート板で構成されている。
これら各部は、従来公知の様々な合成樹脂材料あるいは金属材料で構成してもよいが、本実施の形態のようにすると、玩具銃用標的装置１０Ａの耐久性の向上および軽量化を実現する上で有利となる。
【００１９】
次に実施の形態に係る玩具銃用標的装置１０Ａの作用効果について説明する。
図１、図２、図３、図４（Ａ）に示すように、玩具銃用標的装置１０Ａの初期状態では、３つのアーム１８が全て起立位置に位置している。
ここで、競技者がソフトエアガンを用いて弾丸Ｂを例えば第１標的板１６Ａに撃ち込む。
弾丸Ｂが第１標的板１６Ａに命中すると、その衝撃によりアーム１８が起立位置から倒伏位置に揺動し、図４（Ｂ）に示すように、アーム１８は倒伏位置保持部２０により倒伏位置に保持される。
競技者がソフトエアガンを用いて残りの第２、第３標的板１６Ｂ、１６Ｃに向けて弾丸Ｂを撃ち込むことで、残りのアーム１８が順次倒伏位置に揺動し、全てのアーム１８が倒伏位置に保持された状態となる。
ここで、制御部４６により各アーム１８に対応するソレノイド４４が駆動され、プランジャ４４０４が突出することで、倒伏位置保持部２０による各アーム１８の保持が解除され、各アーム１８は起立位置に復帰する。
【００２０】
一方、開口部２６を通り標的板１６に命中した弾丸Ｂは、図２に示すように、標的板１６が傾斜していることから、標的板１６から第１反射部４８に反射されたのち、第１反射部４８から背面板１４０６に向かって反射され、エネルギー減衰部５０に当たる。
エネルギー減衰部５０に当たった弾丸Ｂは、エネルギー減衰部５０によりエネルギーが減衰され、底面板１４０２上に落下し、底面板１４０２上に回収される。
また、開口部２６に撃ち込まれたものの、標的板１６から外れた弾丸Ｂは、以下のような経路で底面板１４０２上に回収される。
第１反射部４８と上面板１４１０とで挟まれる空間に撃ち込まれた弾丸Ｂは、第１反射部４８および上面板１４１０の間で反射したのち第１反射部４８と上面板１４１０との間を通って背面板１４０６側へ移動する。あるいは、第１反射部４８および上面板１４１０の何れにも反射せず第１反射部４８と上面板１４１０との間を通って背面板１４０６側へ移動する。これにより、弾丸Ｂはエネルギー減衰部５０に当たってエネルギーが減衰され、底面板１４０２上に落下し、底面板１４０２上に回収される。
また、第１反射部４８と正面板１４０８との間に撃ち込まれたものの、標的板１６に当らなかった弾丸Ｂは、エネルギー減衰部５０に当たってエネルギーが減衰され、底面板１４０２上に落下し、底面板１４０２上に回収される。
また、正面板１４０８に命中した弾丸Ｂは、正面板１４０８から第１反射部４８に反射したのち、エネルギー減衰部５０に当たってエネルギーが減衰され、底面板１４０２上に落下し、底面板１４０２上に回収される。
したがって、筐体１４の正面に撃ち込まれた弾丸Ｂは、標的板１６に命中したものも、標的板１６から外れたものも、底面板１４０２上に落下し、筐体１４の底面板１４０２上に回収される。
そして、蓋３０を開いて取り出し口２８を開放し、底面板１４０２上に回収された弾丸Ｂを取り出し口２８から取り出すことで弾丸Ｂが筐体１４の外部に取り出される。
【００２１】
したがって、ソフトエアガンから筐体１４の開口部２６に撃ち込まれた弾丸Ｂは全て筐体１４内で回収されるため、玩具銃用標的装置１０Ａの周囲に散乱した弾丸Ｂを拾い集めるといった手間が掛らず、使い勝手に優れた玩具銃用標的装置１０Ａを提供することができる。
また、弾丸Ｂが標的板１６や、標的板１６から反射されて第１反射部４８に当たった際に比較的高い音が発生するのに対して、弾丸Ｂが標的板１６から外れてエネルギー減衰部５０に当たった際にはほとんど音が発生しないため、弾丸Ｂが命中した標的板１６が倒れるといった視覚的な効果に加えて聴覚的なメリハリが得られ、遊技性を高める上で有利となる。
【００２２】
（第２の実施の形態）
次に第２の実施の形態に係る玩具銃用標的装置１０Ｂについて図６を参照して説明する。
なお、以下の実施の形態では、第１の実施の形態と同様の部分、部材については第１の実施の形態と同一の符号を付してその説明を省略する。
第２の実施の形態は、反射部２４およびエネルギー減衰部５０の構成が第１の実施の形態と異なっている。
本実施の形態では、反射部２４は、標的板１６の上方に位置する上面板１４１０で構成され、反射部２４は、標的板１６で反射された弾丸Ｂを背面板１４０６側に反射させる。
反射部２４から反射した弾丸Ｂのエネルギーを減衰させるエネルギー減衰部５０は、背面板１４０６で構成され、背面板１４０６は、軟質の部材（例えば塩化ビニール）の板で構成されている。
【００２３】
第２の実施の形態によれば、開口部２６を通り標的板１６に命中した弾丸Ｂは、標的板１６が傾斜していることから、標的板１６から上面板１４１０に反射されたのち、上面板１４１０からエネルギー減衰部５０に当たる。
エネルギー減衰部５０に当たった弾丸Ｂはエネルギーが減衰され、底面板１４０２上に落下し、底面板１４０２上に回収される。
また、開口部２６に撃ち込まれたものの、標的板１６から外れた弾丸Ｂは、エネルギー減衰部５０に当たってエネルギーが減衰され、底面板１４０２上に落下し、底面板１４０２上に回収される。
また、正面板１４０８に命中した弾丸Ｂは、正面板１４０８から上面板１４１０に反射したのち、エネルギー減衰部５０に当たってエネルギーが減衰され、底面板１４０２上に落下し、底面板１４０２上に回収される。
したがって、正面板１４０８の正面に撃ち込まれた弾丸Ｂは、標的板１６に命中したものも、標的板１６から外れたものも、底面板１４０２上に落下し、筐体１４の底面板１４０２上に回収される。
そして、スライド式の蓋３０Ａを開いて取り出し口２８を開放し、底面板１４０２上に回収された弾丸Ｂを取り出し口２８から取り出すことで弾丸Ｂが筐体１４の外部に取り出される。
【００２４】
したがって、第２の実施の形態においても第１の実施の形態と同様に、筐体１４の開口部２６に撃ち込まれた弾丸Ｂは全て筐体１４内で回収されるため、玩具銃用標的装置１０Ｂの周囲に散乱した弾丸Ｂを拾い集めるといった手間が掛らず、使い勝手に優れた玩具銃用標的装置１０Ｂを提供することができる。
また、弾丸Ｂが標的板１６や、標的板１６から反射されて上面板１４１０に当たった際に比較的高い音が発生するのに対して、弾丸Ｂが標的板１６から外れてエネルギー減衰部５０に当たった際には比較的低い音が発生するため、弾丸Ｂが命中した標的板１６が倒れるといった視覚的な効果に加えて聴覚的なメリハリが得られ、遊技性を高める上で有利となる。
【００２５】
なお、起立位置決定部はねじりばね４０とストッパ３８によって構成されるものに限定されず、起立位置決定部をモータなどのアクチュエータなどを含んで構成し、アクチュエータにより複数のアーム１８を倒伏位置から起立位置に位置させるようにしてもよい。この場合、倒伏位置保持部は、倒伏位置に位置したアーム１８を下方から支持するストッパなどで構成され、解除機構は不要となる。
【００２６】
なお、本発明は、アーム１８に対して標的板１６を斜め上方に向けた点に特徴があり、起立位置と倒伏位置との間で揺動可能に支持されたアーム１８とこのアーム１８に斜め上方に取り付けられた標的板１６とを有する玩具銃用標的板単体で使用可能であり、このような玩具銃用標的板を、一側面が開放されたダンボール箱などに載置して使用することで標的板１６に着弾した弾丸Ｂは上方または上方かつ背面方向に反射するので、ダンボール箱内で弾丸Ｂを散乱させることなく回収する上で有利となる。
また、標的板１６を支持し起立位置と倒伏位置との間で揺動可能に配置されたアーム１８と、アーム１８を起立位置に位置させる起立位置決定部と、正面からソフトエアガンにより発射された弾丸Ｂが起立位置に位置する標的板１６に当たりアーム１８が正面と反対の背面側の倒伏位置に倒れるとアーム１８を倒伏位置に保持させる倒伏位置保持部とを備え、標的板１６は、起立位置において上方に至るにつれて背面に向かう傾斜でアーム１８に設けられている玩具銃用標的装置も単体で使用可能であり、この玩具銃用標的装置を一側面が開放されたダンボール箱などに載置して使用することで標的板１６に着弾した弾丸Ｂは上方または上方かつ背面方向に反射するので、ダンボール箱内で弾丸Ｂを散乱させることなく回収する上で有利となる。
また、正面に開口部が設けられた筐体と、筐体の内部の底面上又はその近傍に設けられ、起立位置と倒伏位置との間で揺動可能なアーム１８が配置される配置スペースと、筐体の内部に設けられ標的板１６から反射した弾丸Ｂを正面と反対の背面側に反射させる反射部と、筐体の内部に設けられ反射部から反射した弾丸Ｂのエネルギーを減衰させ筐体の底面に落下させるエネルギー減衰部とを備える玩具銃標的装置用筐体を用いる場合、配置スペースに斜め上方を向いた標的板１６を配置することで標的板１６に着弾した弾丸Ｂは上方または上方かつ背面方向に反射するので、反射部を介してエネルギー減衰部に当たった弾丸Ｂは、エネルギー減衰部によりエネルギーが減衰され、筐体の底面上に落下し、筐体内で回収されるため、標的板１６に着弾した弾丸Ｂを散乱させることなく回収する上で有利となる。
この場合、筐体の開口部以外の箇所は、ネットで形成されているなど任意であり、筐体の上面をネットで形成した場合には、標的板１６に着弾した弾丸Ｂはネットにより背面側に案内される。
なお、ネットを枠状のフレームに張設すると、弾丸Ｂのエネルギーをあまり吸収せずに弾丸Ｂが反発するため、ネットは弛ませて配置することが好ましい。筐体の背面に配置するネットも張設せず上から垂らして配置することが好ましい。
また、正面に開口部が設けられた筐体と、それぞれ標的板１６を支持し筐体の内部で起立位置と倒伏位置との間で揺動可能に配置された複数のアーム１８と、複数のアーム１８を起立位置に位置させる起立位置決定部と、正面からソフトエアガンにより発射された弾丸Ｂが起立位置に位置する標的板１６に当たりアーム１８が正面と反対の背面側の倒伏位置に倒れるとアーム１８を倒伏位置に保持させる倒伏位置保持部とを備え、標的板１６は、起立位置において上方に至るにつれて背面に向かう傾斜でアーム１８に設けられている玩具銃用標的装置を用いると、標的板１６に着弾した弾丸Ｂは上方または上方かつ背面方向に反射するので、筐体内で弾丸Ｂを散乱させることなく回収する上で有利となる。
【００２７】
また、実施の形態では、アーム１８の上部に標的板１６を設けた場合について説明したが、標的板１６をアーム１８に対して着脱可能に設けてもよい。
このようにすると、標的板１６が破損したときに交換すれば、玩具銃用標的装置を容易に修理することができ、玩具銃用標的装置の使い勝手を高める上で有利となる。
また、予め、大きさの違う標的板１６を幾つも用意しておけば、標的板１６を付け替えて難易度を変えて楽しむことができ、玩具銃用標的装置の商品性を高める上で有利となる。
【００２８】
更に、実施の形態で示した様な３連の、あるいは、３連以外の市販のフォーリングプレート標的は、沢山あるので、それをケース３２の代わりに組み込んで、そのアーム部に付け外しや交換可能な標的板１６を付けて使えれば、市販の様々な機能を備えたフォーリングプレート標的を、BB弾回収式標的に変えることができる。
更に、標的板１６をある程度以上傾けることにより、BB弾（弾丸Ｂ）が前に跳ね返らないようになるので、安全面でも効果がある。この場合、前から水平に撃った場合、標的板１６が垂直から３０度以上傾いていれば、上か斜め後方に跳ね返ることになるので、安全である。安全性に関しては、側方や下方に傾けても効果がある。
更に、傾斜した標的板１６を付ければ、市販品にあるような箱や枠組みに布やネットを張っただけのフォーリングプレート標的用の簡単な回収ケースでも、標的板１６に中ったBB弾は前には跳ね返らず、真上か斜め後方に反射するのだから、BB弾の回収率を上げることができる。
尚、標的板１６は差し込み式に限定されず、ねじ止め式などでもよく、アーム１８への固定部（差し込み部等）に標的板をねじ止めする等の方法で、標的板だけを交換可能にすれば、弾が当たって傷む部分だけを交換できるので、更に好適である（この場合、様々なサイズの標的板を更に安価に提供できるという効果もある）。
また、アーム１８に差し込むのではなく、標的板１６をアーム１８を含む構造（標的板１６とアーム１８とを一体化した構造）として、支軸３６に相当する部分やそこに付けられた接続具等に固定できるようにしても良い。すなわち、アーム１８を、ケース３２に設けられた支軸３６に対して着脱可能に結合するようにしてもよい。
尚、背面板１４０６は弾丸Ｂが短い距離で下方へ反射するように傾斜させても良いし、正面板１４０８の部分に当たっても回収できなくても良ければ、正面板１４０８は垂直に立てても良いし、ここに軟質の部材を貼るなどして強く跳ね返らないようにしても良い。
【符号の説明】
【００２９】
１０Ａ、１０Ｂ  玩具銃用標的装置
１４  筐体
１４０２  底面板
１４０６  背面板
１４０８  正面板
１４１０  上面板（反射部）
１６  標的板
１８  アーム
２０  倒伏位置保持部
２４  反射部
２６  開口部
４８  第１反射部
５０  エネルギー減衰部
５２  シート
Ｂ  弾丸
【図１】
2022000603.tif 000003
【図２】
2022000603.tif 000004
【図３】
2022000603.tif 000005
【図４】
2022000603.tif 000006
【図５】
2022000603.tif 000007
【図６】
2022000603.tif 000008